(57)【要約】【課題】衣服のポケットに入れて携帯することも可能で、手拭きや汗拭いとしての本来の機能を有するほか、フェイスカバーやアイマスクとしても用いることができ、その際に煩わしさを感じることも少ない多機能ハンカチを提供する。【解決手段】四角形の布帛１２の一辺１２ａの中央部に帯状ゴム紐１４の一端部を縫着し、帯状ゴム紐の他端部を、布帛の一辺と対向する一辺１２ｂの中央部に縫着して、多機能ハンカチ１０を構成した。【選択図】図１
0003191034.tif 000002
【実用新案登録請求の範囲】
【請求項１】
四角形の布帛の一辺の中央部と、その一辺と対向する一辺の中央部とを、帯状もしくは紐状の連接手段によって連接したことを特徴とする多機能ハンカチ。
【請求項２】
前記連接手段は、一端部が前記布帛の一辺の中央部に縫着され他端部が前記布帛の一辺と対向する一辺の中央部に縫着された帯状ゴム紐である請求項１に記載の多機能ハンカチ。
【請求項３】
前記連接手段は、前記布帛の一辺の中央部に一端部が縫着された第１の布紐、および、前記布帛の一辺と対向する一辺の中央部に一端部が縫着された第２の布紐からなり、それらの布紐同士を互いに結び合わせて連接するようにした請求項１に記載の多機能ハンカチ。
【考案の詳細な説明】
【技術分野】
【０００１】
この考案は、電車、バス、飛行機、船舶等の乗り物の座席で仮眠を取る場合などにフェイスカバーやアイマスクなどとしても用いることができる多機能ハンカチに関する。
【背景技術】
【０００２】
長距離列車、高速バス、飛行機等の乗り物を利用して長距離移動している途中に座席で仮眠を取るとき、他人に寝顔を見られたくないといった要望があり、そのための商品が提案され販売されている。例えば、両側縁に一対の耳掛け部が連結され下縁が開口した袋体からなるアイマスクに、その袋体内に収納可能な下顔カバーを連結し、睡眠を取る時に袋体内から下顔カバーを取り出して、アイマスクで目を覆うとともに下顔カバーで鼻や口を覆うようにした下顔カバー付きアイマスクが提案されている（例えば、特許文献１参照。）。また、長方形状の布本体の裏面側の、その一方の短辺に偏る位置に、短辺と同じ長さの紐を、その紐の両端部を布本体の各長辺の縫い代にそれぞれ縫い込んで取り付けた構成のハンカチであって、布本体を長さ方向の中央部で裏面を内側にして折り畳み、紐が取り付けられていない短辺側の端部を紐の下の隙間に差し込み、二つ折りにされた布本体の開放端を広げて利用者の頭部に被せ、そのまま首の方へ布を引き下ろすして、利用者の頭頂部から肩付近までを布本体で覆うようにすることにより、フェイスカバーとして用いることができるようにした多機能ハンカチが提案されている（例えば、特許文献２参照。）。
【先行技術文献】
【特許文献】
【０００３】
【特許文献１】特開２００６−２２３６０８号公報（第２−３頁、図１、図２）
【特許文献２】特開２０１２−１７５４２号公報（第５−６頁、図１−３）
【考案の概要】
【考案が解決しようとする課題】
【０００４】
特許文献１に記載された下顔カバー付きアイマスクは、フェイスカバーとしても使用することができる。しかしながら、このアイマスクは、その以外の機能を持っていないし、携帯するときに小袋に収納するなどしてバッグに入れておく必要がある。また、特許文献２に記載された多機能ハンカチは、本来の手拭きや汗拭いとしての機能を有するほか、フェイスカバーやスカーフ等としても使用し得るし、衣服のポケットに入れて携帯することも可能である。しかしながら、この多機能ハンカチをフェイスカバーとして用いるときは、二つ折りにされ開放端側に紐が巻かれた布本体を、頭頂部から顔面および後頭部を含め肩付近まで覆うように頭部全体にすっぽりと被せるので、使用者によっては煩わしく感じることもある、といった問題点がある。
【０００５】
この考案は、以上のような事情に鑑みてなされたものであり、衣服のポケットに入れて携帯することも可能で、手拭きや汗拭いとしての本来の機能を有するほか、フェイスカバーやアイマスク等としても用いることができ、その際に煩わしさを感じることも少ない多機能ハンカチを提供することを目的とする。
【課題を解決するための手段】
【０００６】
請求項１に係る考案は、四角形の布帛の一辺の中央部と、その一辺と対向する一辺の中央部とを、帯状もしくは紐状の連接手段により連接して多機能ハンカチを構成したことを特徴とする。
【０００７】
請求項２に係る考案は、請求項１に記載の多機能ハンカチにおいて、帯状ゴム紐の一端部を前記布帛の一辺の中央部に縫着し他端部を前記布帛の一辺と対向する一辺の中央部に縫着することにより前記連接手段を構成したことを特徴とする。
【０００８】
請求項３に係る考案は、請求項１に記載の多機能ハンカチにおいて、前記連接手段を、前記布帛の一辺の中央部に一端部が縫着された第１の布紐、および、前記布帛の一辺と対向する一辺の中央部に一端部が縫着された第２の布紐から構成し、それらの布紐同士を互いに結び合わせて連接するようにしたことを特徴とする。
【考案の効果】
【０００９】
請求項１に係る考案の多機能ハンカチは、四角形の布帛を、連接手段が取り付けられている一辺の中央部とその対向辺の中央部とを結んだ線を折り目として二つ折りにし、二つ折りにされた布帛で顔面全体を覆い、連接手段を後頭部側に回して連接手段で布帛を頭部に保持すると、フェイスカバーとして機能する。また、この多機能ハンカチは、二つ折りにされた布帛を首の後ろ側に回して首から肩にかけて布帛で覆い、連接手段を首の前側にして連接手段で布帛を首に保持することにより、首元を日焼けから防止するカバーとして機能する。また、この多機能ハンカチは、二つ折りにされた布帛をさらに二つ折りにし、四つ重ねに折り畳まれた布帛で目を覆い、連接手段を後頭部側に回して連接手段で布帛を頭部に保持すると、アイマスクとして機能する。
したがって、請求項１に係る考案の多機能ハンカチは、普通にハンカチとして手拭きや汗拭いに用いられるほか、フェイスカバーやアイマスク等としても用いることができ、その際に煩わしさを感じることも少ない。そして、この多機能ハンカチは、使用しないときには小さく折り畳んで衣服のポケットに入れて携帯することも可能である。
【００１０】
請求項２に係る考案の多機能ハンカチでは、布帛と帯状ゴム紐とで形成される輪状部を頭部等に嵌めるだけで布帛を頭部等に保持することができるので、使用方法が簡便であり、また。帯状ゴム紐の適度の締め付け力によって布帛を頭部等に保持することができる。
【００１１】
請求項に係る考案の多機能ハンカチでは、第１の布紐と第２の布紐とを結び合わせることにより、布帛を頭部等に適当な締め付け力で保持することができる。
【図面の簡単な説明】
【００１２】
【図１】この考案の実施形態の１例を示し、多機能ハンカチを二つ折りにし輪状にした斜視図である。
【図２】図１に示した多機能ハンカチの平面図である。
【図３】図１に示した多機能ハンカチをフェイスカバーとして用いている状態を示す斜視図である。
【図４】図１に示した多機能ハンカチをアイマスクとして用いている状態を示す斜視図である。
【考案を実施するための形態】
【００１３】
以下、この考案の最良の実施形態について図面を参照しながら説明する。
この多機能ハンカチ１０は、図２に示すように、普通のハンカチと同様に４辺を縁かがり縫いした四角形、例えば正方形の布帛１２からなり、布帛１２の一辺１２ａの中央部に帯状ゴム紐１４の一端部を縫着し、帯状ゴム紐１４の他端部を、布帛１２の一辺１２ａと対向する一辺１２ｂの中央部に縫着して構成されている。
【００１４】
この多機能ハンカチ１０を携帯するときは、普通のハンカチと同様に小さく正方形に折り畳んで衣服のポケットに入れたりハンドバッグ等に収納したりする。長距離列車や高速バスなどを利用して長距離移動している途中に座席で仮眠を取るときなどに、この多機能ハンカチ１０をフェイスカバーとして用いる際には、図１に示すように、正方形の布帛１２を、帯状ゴム紐１４が取り付けられている一辺１２ａの中央部とその対向する一辺１２ｂの中央部とを結んだ線を折り目１２ｃとして二つ折りにし、二つ折りにされた布帛１２および帯状ゴム紐１４の形を輪状（筒状）に整える。そして、帯状ゴム紐１４を後頭部側に回して、図３に示すように二つ折りにされた布帛１２で顔面全体を覆い、布帛１２の折り目１２ｃ側の端縁部と帯状ゴム紐１４とで形成される輪状部を頭部に嵌める。これにより、帯状ゴム紐１４の適度の締め付け力によって布帛１４が頭部に保持され、フェイスカバーとして機能する。
【００１５】
また、図３に示した状態から多機能ハンカチ１０を、布帛１２の折り目１２ｃ側の端縁部と帯状ゴム紐１４とで形成される輪状部が首回りに位置するまでずり下げてから、多機能ハンカチ１０を１８０°回して帯状ゴム紐１４が首の前側に位置するようにすると、二つ折りにされた布帛１２により首から肩にかけて覆われるので、首元を日焼けから防止するカバーとして機能する。さらにまた、この多機能ハンカチ１０をアイマスクとして用いる際には、二つ折りにされた布帛をさらに二つ折りにし、図４に示すように、四つ重ねに折り畳まれた布帛１２で目を覆い、帯状ゴム紐１４を後頭部側に回して帯状ゴム紐１４で布帛１４を頭部に保持するようにする。
【００１６】
以上のように、この多機能ハンカチ１０は、普通にハンカチとして手拭きや汗拭いに用いられるほか、フェイスカバーやアイマスクなどとしても用いることができる。そして、その際には、布帛１２と帯状ゴム紐１４とで形成される輪状部を頭部に嵌めるだけで布帛１２を頭部に保持することができるので、使用方法が簡便である。また、或る程度の力で頭部と接触するのは帯状ゴム紐１４および布帛１２の折り目１２ｃ側の端縁部だけであり、布帛１２の大部分は顔面や側頭部に軽く触れるだけであるので、煩わしさを感じることも少ない。
【００１７】
上記した実施形態では、布帛１２に帯状ゴム紐１４を取り付けたが、帯状ゴム紐１４に代えて、布帛１２の一辺１２ａの中央部に第１の布紐の一端部を縫着し、布帛１２の一辺１２ａと対向する一辺１２ｂの中央部に第２の布紐の一端部を縫着して、それらの布紐同士を互いに結び合わせて連接するように構成してもよい。この場合には、第１の布紐と第２の布紐とを結び合わせることにより、布帛を頭部に適当な締め付け力で保持することができる。
【産業上の利用可能性】
【００１８】
この考案に係る多機能ハンカチは、主に、長距離列車、高速バス、飛行機、船舶等の乗り物を利用して長距離移動している途中に座席で仮眠を取るときなどに便利であり、この考案は、旅行用品・旅行グッズを製造・販売する産業分野などにおいて利用される。
【符号の説明】
【００１９】
１０  多機能ハンカチ
１２  布帛
１４  帯状ゴム紐
【図１】
0003191034.tif 000003
【図２】
0003191034.tif 000004
【図３】
0003191034.tif 000005
【図４】
0003191034.tif 000006